(57)【要約】【課題】計測値の指針像を表示する計測器用ディスプレイにおいて、指針像の移動を滑らかにすること及び指針像を視認し易くすること。【解決手段】図１（ａ）のように目盛Ｍに沿って副指針像表示セグメント列Ｓ１〜Ｓｎからなる表示セグメント群Ｓを半円状（扇状）に配設してある。指針像Ｐは、図１（ｂ）のように４列の副指針像表示セグメント列Ｓｘ＋１〜Ｓｘ＋４により構成する。副指針像表示セグメント列Ｓｘ＋１は、表示セグメントａ３，ｂ２，ｃ２、ｄ１からなり、Ｓｘ＋４は、表示セグメントａ６，ｂ５，ｃ５、ｄ４からなる。指針像Ｐが太い実線の位置から太い破線の位置へ移動する場合、新たな指針像は、副指針像表示セグメント列Ｓｘ＋２〜Ｓｘ＋５によって構成する。このように指針像Ｐは、副指針像表示セグメント列単位で移動する。【選択図】                        図１
2004333598.tif 000002
【特許請求の範囲】
【請求項１】
平行四辺形の表示セグメントを指針像の移動方向へ千鳥状に配設した行（ａ１，ｂ１，ａ２，ｂ２・・・）１行以上と、平行四辺形の表示セグメントと五角形又は六角形の表示セグメントを指針像の移動方向へ千鳥状に配設した行（ｃ１，ｄ１，ｃ２，ｄ２・・・）１行と、前記平行四辺形の表示セグメントと前記五角形又は六角形の表示セグメントを指針像の移動方向と略直交する方向へ千鳥状に配設した列（ａ１，ｂ１，ｃ１，ｄ１）とからなる表示セグメント群（Ｓ）を備え、隣接する前記平行四辺形の平行辺が平行するように配設した表示セグメント（ａ３，ｂ２，ｃ２）とそれらの表示セグメントに隣接する五角形又は六角形の表示セグメント（ｄ１）からなる副指針像表示セグメント列（ａ３，ｂ２，ｃ２，ｄ１）を複数列形成して指針像を構成し、その指針像を前記副指針像表示セグメント列単位で指針像の移動方向へ移動することを特徴とする計測器用ディスプレイ。
【請求項２】
平行四辺形の表示セグメントを指針像の移動方向へ千鳥状に配設した行（ｃ１，ｂ１，ｃ２，ｂ２・・・）１行以上と、五角形又は六角形の表示セグメントを指針像の移動方向へ配設した行（ｄ１，ｄ２，ｄ３・・・）１行と、前記平行四辺形の表示セグメントと前記五角形又は六角形の表示セグメントを指針像の移動方向と略直交する方向へ千鳥状に配設した列（ｂ１，ｃ１，ｄ１）とからなる表示セグメント群（Ｓ）を備え、隣接する平行四辺形の平行辺が平行するように配設された表示セグメント（ｂ２，ｃ２）とそれらの表示セグメントに隣接する五角形又は六角形の表示セグメント（ｄ１）からなる副指針像表示セグメント列（ｂ２，ｃ２，ｄ１）を複数列形成して指針像を構成し、その指針像を前記副指針像表示セグメント列単位で指針像の移動方向へ移動することを特徴とする計測器用ディスプレイ。
【請求項３】
請求項１又は請求項２に記載の計測器用ディスプレイにおいて、前記平行四辺形の表示セグメントによって指針像の先端部を形成し、前記五角形又は六角形の表示セグメントによって指針像の本体部を形成することを特徴とする計測器用ディスプレイ。
【請求項４】
請求項１又は請求項２に記載の計測器用ディスプレイにおいて、前記前記平行四辺形の表示セグメントは、２つの三角形の表示セグメントからなることを特徴とする計測器用ディスプレイ。
【請求項５】
請求項１又は請求項２に記載の計測器用ディスプレイにおいて、前記五角形の表示セグメントは、三角形の表示セグメントと四辺形の表示セグメントからなり、前記六角形の表示セグメントは２個の五角形の表示セグメントからなることを特徴とする計測器用ディスプレイ。
【請求項６】
表示セグメントを指針像の移動方向へ配列した行と、表示セグメントを指針像の移動方向と略直交する方向へ配列した列とからなる表示セグメント群を備え、その表示セグメント群の表示セグメントからなる副指針像表示セグメント列を指針像の移動方向へ複数列並べて指針像を構成し、その指針像を副指針像表示セグメント列単位で指針像の移動方向へ移動することを特徴とする計測器用ディスプレイ。
【請求項７】
請求項１から請求項６のいずれかの請求項に記載の計測器用ディスプレイにおいて、指針像を副指針像表示セグメント列単位で指針像の移動方向へ移動するとき残像を発生することを特徴とする計測器用ディスプレイ。
【発明の詳細な説明】
【０００１】
【発明の属する技術分野】
本願発明は、電圧計、自動車のスピードメータ、時計等の計測器に用いるディスプレイに関する。
【０００２】
【従来の技術】
図９により従来の計測器用ディスプレイの表示セグメントパターンについて説明する。
最近の計測器は、電気的或いは機械的に回転或いは移動する指針に代えて、指針像を表示するディスプレイを使用している。
図９（ａ）は、バー状の表示セグメントを直線状に配設した表示セグメントパターンの例で、表示セグメント２１〜２ｎからなる表示セグメント群２を、目盛４に沿って配設してある（例えば特許文献１参照）。表示セグメント２１〜２ｎの指針像の表示位置は、計測量に応じて左右に移動する。図９（ａ）の場合、表示セグメント２６が点灯して指針像を表示している。
【０００３】
図９（ｂ）は、バー状の表示セグメントを半円状（扇状）に配設した表示セグメントパターンの例で、表示セグメント３１〜３ｎからなる表示セグメント群３を、目盛４に沿って配設してある（例えば特許文献２参照）。表示セグメント３１〜３ｎの指針像の表示位置は、計測量に応じて円周方向に移動する。図９（ｂ）の場合、表示セグメント３５が点灯して指針像を表示している。
【０００４】
【特許文献１】
特開２０００−７９８３７号公報（例えば図１）
【特許文献２】
特開２０００−１３６９４６号公報（例えば図１）
【０００５】
【発明が解決しようとする課題】
図９（ａ）の場合計測器の計測量が変化すると、指針像は表示セグメント２６から表示セグメント２７又は表示セグメント２５へ移動するため、従来の指針が電気的或いは機械的に動作する計測器に比べて指針像の移動が滑らかでなく、視認性がよくない。また図９（ｂ）の場合も、図９（ａ）の場合と同様に指針像の移動が滑らかでなく、視認性がよくない。
【０００６】
また図９（ａ），（ｂ）の場合、計測量を高精度で表示するには、表示セグメントの幅や間隔を狭く形成しなければならないが、それらが狭いと指針像も狭くなるため、指針像の表示位置の視認性が低下し、例えば計測器が自動車のスピードメータの場合、運転中に指針像の表示位置を確認し難くなる。
本願発明は、これらの点に鑑み、指針像の移動が滑らかで、表示位置の視認性が優れ、計測量の高精度表示が可能な計測器用ディスプレイを提供することを目的とする。
【０００７】
【課題を解決するための手段】
請求項１に記載の計測器用ディスプレイは、平行四辺形の表示セグメントを指針像の移動方向へ千鳥状に配設した行（ａ１，ｂ１，ａ２，ｂ２・・・）１行以上と、平行四辺形の表示セグメントと五角形又は六角形の表示セグメントを指針像の移動方向へ千鳥状に配設した行（ｃ１，ｄ１，ｃ２，ｄ２・・・）１行と、前記平行四辺形の表示セグメントと前記五角形又は六角形の表示セグメントを指針像の移動方向と略直交する方向へ千鳥状に配設した列（ａ１，ｂ１，ｃ１，ｄ１）とからなる表示セグメント群（Ｓ）を備え、隣接する前記平行四辺形の平行辺が平行するように配設した表示セグメント（ａ３，ｂ２，ｃ２）とそれらの表示セグメントに隣接する五角形又は六角形の表示セグメント（ｄ１）からなる副指針像表示セグメント列（ａ３，ｂ２，ｃ２，ｄ１）を複数列形成して指針像を構成し、その指針像を前記副指針像表示セグメント列単位で指針像の移動方向へ移動することを特徴とする。
請求項２に記載の計測器用ディスプレイは、平行四辺形の表示セグメントを指針像の移動方向へ千鳥状に配設した行（ｃ１，ｂ１，ｃ２，ｂ２・・・）１行以上と、五角形又は六角形の表示セグメントを指針像の移動方向へ配設した行（ｄ１，ｄ２，ｄ３・・・）１行と、前記平行四辺形の表示セグメントと前記五角形又は六角形の表示セグメントを指針像の移動方向と略直交する方向へ千鳥状に配設した列（ｂ１，ｃ１，ｄ１）とからなる表示セグメント群（Ｓ）を備え、隣接する平行四辺形の平行辺が平行するように配設された表示セグメント（ｂ２，ｃ２）とそれらの表示セグメントに隣接する五角形又は六角形の表示セグメント（ｄ１）からなる副指針像表示セグメント列（ｂ２，ｃ２，ｄ１）を複数列形成して指針像を構成し、その指針像を前記副指針像表示セグメント列単位で指針像の移動方向へ移動することを特徴とする。
請求項３に記載の計測器用ディスプレイは、請求項１又は請求項２に記載の計測器用ディスプレイにおいて、前記平行四辺形の表示セグメントによって指針像の先端部を形成し、前記五角形又は六角形の表示セグメントによって指針像の本体部を形成することを特徴とする。
請求項４に記載の計測器用ディスプレイは、請求項１又は請求項２に記載の計測器用ディスプレイにおいて、前記前記平行四辺形の表示セグメントは、２つの三角形の表示セグメントからなることを特徴とする。
請求項５に記載の計測器用ディスプレイは、請求項１又は請求項２に記載の計測器用ディスプレイにおいて、前記五角形の表示セグメントは、三角形の表示セグメントと四辺形の表示セグメントからなり、前記六角形の表示セグメントは２個の五角形の表示セグメントからなることを特徴とする。
請求項６に記載の計測器用ディスプレイは、表示セグメントを指針像の移動方向へ配列した行と、表示セグメントを指針像の移動方向と略直交する方向へ配列した列とからなる表示セグメント群を備え、その表示セグメント群の表示セグメントからなる副指針像表示セグメント列を指針像の移動方向へ複数列並べて指針像を構成し、その指針像を副指針像表示セグメント列単位で指針像の移動方向へ移動することを特徴とする。
請求項７に記載の計測器用ディスプレイは、請求項１から請求項６のいずれかの請求項に記載の計測器用ディスプレイにおいて、指針像を副指針像表示セグメント列単位で指針像の移動方向へ移動するとき残像を発生することを特徴とする。
【０００８】
【発明の実施の形態】
図１〜図８により本願発明の実施の形態に係る計測器用ディスプレイの表示セグメントパターンを説明する。なお各図に共通の部分は、同じ符号を付してある。
【０００９】
図１は、表示セグメントを半円状（扇状）に配設した表示セグメントパターンの例を示す。
図１（ａ）は、表示セグメントパターンの全体を示し、図１（ｂ）は、表示セグメントパターンの一部（詳細）を示す。
【００１０】
表示セグメント群Ｓは、図１（ａ）のように半円状に配設した目盛Ｍに沿って配設してある。指針像Ｐは、複数の副指針像によって構成し、副指針像は、副指針像表示セグメント列Ｓ１〜Ｓｎによって構成する。指針像Ｐの表示位置は、計測器の計測量に応じて円周方向へ左右に移動するが、その移動は、副指針像単位で、即ち副指針像表示セグメント列単位で行う。
【００１１】
表示セグメント群Ｓは、図１（ｂ）のように平行四辺形の表示セグメントを指針像の移動方向（円周方向）へ千鳥状に配設した行と、平行四辺形の表示セグメントと五角形の表示セグメントを指針像の移動方向へ千鳥状に配設した行とからなる。即ち、表示セグメント群Ｓは、表示セグメント（ａ１，ｂ１，ａ２，ｂ２，ａ３，ｂ３・・・）の千鳥状の行と、表示セグメント（ｃ１，ｄ１，ｃ２，ｄ２，ｃ３，ｄ３・・・）の千鳥状の行とからなる。なお図１（ｂ）において平行四辺形の表示セグメント（ｃ１，ｃ２，ｃ３・・・）がない場合には、五角形の表示セグメント（ｄ１，ｄ２，ｄ３・・・）単独の行（千鳥状でない行）を形成する。
また表示セグメント群Ｓは、指針像の移動方向と略直交する方向（放射方向或いは半径方向）へ千鳥状に配設した複数の列からなる。即ち表示セグメント群Ｓは、表示セグメント（ａ１，ｂ１，ｃ１，ｄ１），（ａ２，ｂ２，ｃ２，ｄ２），・・・，（ａ７，ｂ７，ｃ７，ｄ７）等の千鳥状の列からなる。
ここで千鳥状に配設した行は、例えば表示セグメント（ａ１，ａ２，ａ３，・・・）と（ｂ１，ｂ２，ｂ３・・・）を交互に千鳥状に配設した表示セグメントの配列を１行と呼ぶ。また千鳥状に配設した列は、例えば表示セグメントａ１，ｂ１，ｃ１，ｄ１を交互に千鳥状に配設した表示セグメントの配列を１列と呼ぶ。
また平行四辺形の表示セグメント及び五角形の表示セグメントの角部は、指針像の移動方向と略直交する方向を向いている。
【００１２】
指針像Ｐは、図１（ｂ）のように４列の副指針像表示セグメント列Ｓｘ＋１（ａ３，ｂ２，ｃ２，ｄ１），Ｓｘ＋２（ａ４，ｂ３，ｃ３，ｄ２），Ｓｘ＋３（ａ５，ｂ４，ｃ４，ｄ３），Ｓｘ＋４（ａ６，ｂ５，ｃ５，ｄ４）によって構成され、それらの副指針像表示セグメント列の表示セグメントの内、太い実線で囲んだ表示セグメント（ａ３，ｂ２，ｂ３，ｃ２，ｃ３，ｃ４，ｄ１，ｄ２，ｄ３，ｄ４）が、後述する方法により点灯して指針像Ｐを表示する。副指針像表示セグメント列は、例えばＳｘ＋１の場合、平行四辺形の表示セグメントａ３，ｂ２，ｃ２の夫々の平行する２辺が平行するように配設され、それらの表示セグメントと隣接する五角形の表示セグメントｄ１によって構成されている。
【００１３】
指針像Ｐを構成する副指針像表示セグメント列Ｓｘ＋１，Ｓｘ＋２，Ｓｘ＋３，Ｓｘ＋４は、表示セグメントが平仮名のくの字形状に配列されており、指針像Ｐの幅方向（指針像の移動方向）に４列並んでいる。各副指針像表示セグメント列の平行四辺形の表示セグメントは、指針像Ｐの矢印状（三角形状）の先端部を形成し、五角形の表示セグメントは、指針像Ｐの四辺形状（線状）の本体部を形成している。なお副指針像表示セグメント列は、表示セグメントを逆くの字形状に配列して形成してもよい。
【００１４】
計測器の計測量が変わって指針像Ｐの表示位置が右側へ移動する場合、指針像Ｐは、太い実線から太い破線の表示位置へ移動し、副指針像表示セグメント列Ｓｘ＋２，Ｓｘ＋３，Ｓｘ＋４，Ｓｘ＋５によって新たな指針像が構成され、太い破線で囲まれた部分の表示セグメントが点灯する。このように指針像は、副指針像表示セグメント列単位で移動するから、指針像の移動は、滑らかになり従来の電気的或いは機械的に回転或いは移動する指針の動きに近くなる。
【００１５】
指針像Ｐは、指針像Ｐの幅方向（移動方向）に並んだ４列の副指針像表示セグメント列Ｓｘ＋１，Ｓｘ＋２，Ｓｘ＋３，Ｓｘ＋４によって構成するから、指針像Ｐの幅は、４倍になる。したがって例えば高精度表示のために、副指針像表示セグメント列の幅を狭くした場合にも、指針像Ｐの表示位置を容易に視認できる。また指針像Ｐの幅が４倍に広くなっても、指針像Ｐの表示セグメントａ３の角部が目盛Ｍを指しているから、高精度の読取が可能になる。
【００１６】
図１は、表示セグメントを半円状（扇状）に配設する例について説明したが、後述するように直線状に配設することもできる。
【００１７】
図２は、図１の指針像Ｐの表示を蛍光表示管で行う場合の各表示セグメント電極（アノード電極）と制御電極（グリッド）に印加する電圧の１例を示す。
図２（ａ）は、表示セグメントと制御電極の配置を示し、図２（ｂ）は、印加電圧を示す。
【００１８】
表示セグメントａ１〜ａ７，ｂ１〜ｂ６，ｃ１〜ｃ７，ｄ１〜ｄ６は、蛍光体を塗布したアノード電極からなり、陰極用フィラメント（図示せず）から放射さる電子によって発光する。表示セグメントａ１〜ａ７，ｂ１〜ｂ６，ｃ１〜ｃ７，ｄ１〜ｄ６は、夫々電源（図示せず）に接続する線Ａ〜Ｄに接続してある。
制御電極Ｇ１，Ｇ２，Ｇ３，Ｇ４，Ｇ５，Ｇ６（破線で囲った部分）は、夫々図１の副指針像表示セグメント列Ｓｘ＋１，Ｓｘ＋２，Ｓｘ＋３，Ｓｘ＋４に相当する表示セグメント（ａ３，ｂ２，ｃ２，ｄ１）、（ａ４，ｂ３，ｃ３，ｄ２）、（ａ５，ｂ４，ｃ４，ｄ３）、（ａ６，ｂ５，ｃ５，ｄ４）に対向にするように配置してある。
【００１９】
図２（ａ）は、太い実線で囲んだ部分の表示セグメントが継続して点灯し、指針像Ｐを表示している。この指針像Ｐの表示には、線Ａ〜Ｄ、制御電極Ｇ１〜Ｇ５に図２（ｂ）の電圧を印加する。
【００２０】
図３は、図２と同じ表示セグメントと制御電極の配置において、指針像が左右に移動する場合の例である。
図３（ａ）は、図３（ｂ）の期間Ｔ１の間指針像Ｐ１を表示し、期間Ｔ２とＴ３の間指針像Ｐ２を表示し、期間Ｔ４の間再び指針像Ｐ１を表示する例である。
期間Ｔ１の間は、太い実線で囲んだ部分の表示セグメントが点灯して指針像Ｐ１を表示し、期間Ｔ２とＴ３の間は、太い破線で囲んだ表示セグメントが点灯して指針像Ｐ２を表示する。
【００２１】
その際表示セグメント（ａ３，ｂ２，ｃ２，ｄ１）に対向する制御電極Ｇ１には、期間Ｔ２の間通常の点灯時よりも低い電圧（斜線部分）を印加して表示セグメント（ａ３，ｂ２，ｃ２，ｄ１）に残像を発生し、期間Ｔ３の間ＯＦＦ電圧を印加して非点灯にする。このように残像を発生することにより、指針像の移動をより滑らかに表示できる。
指針像Ｐ２から指針像Ｐ１へ戻るときも、期間Ｔ４の間制御電極Ｇ２、Ｇ３、Ｇ４、Ｇ５に低い電圧（斜線部分）を印加して表示セグメント（ａ４，ｂ４，ｃ５，ｄ５）に残像を発生する。
【００２２】
図４は、制御電極を指針像Ｐの移動方向と略直交する方向へ配置した例を示す。
表示セグメント群Ｓの基本的構成は、図１と同じであるが平行四辺形の千鳥状の行を図１よりも１行多く設けてある。
【００２３】
表示セグメント群Ｓは、平行四辺形の表示セグメントを指針像の移動方向（円周方向）へ千鳥状に配設した行と、五角形の表示セグメントのみを指針像の移動方向へ配設した行とからなる。即ち、表示セグメント群Ｓは、表示セグメント（ａ１，ｂ１，ａ２，ｂ２，ａ３，ｂ３・・・）の千鳥状の行と、表示セグメント（ｃ１，ｄ１，ｃ２，ｄ２，ｃ３，ｄ３・・・）の千鳥状の行と、表示セグメント（ｅ１，ｅ２，ｅ３，ｅ４・・・）の千鳥状の行からなる。
指針像Ｐは、表示セグメント（ａ３，ｂ２，ｃ２，ｄ１，ｅ１）、・・・、（ａ７，ｂ６，ｃ６，ｄ５，ｅ５）からなる副指針像表示セグメント列（５列）によって構成する。
【００２４】
制御電極Ｇ１〜Ｇ７は、指針像Ｐの移動方向と略直交する方向に配置してある。隣り合う２つの制御電極、例えば制御電極Ｇ１とＧ２の境界に位置する表示セグメントｂ１、ｄ１は、制御電極Ｇ１とＧ２の双方がＯＮ電圧のとき発光する。他の表示セグメントについても同様である。
【００２５】
図４（ａ）は、太い実線で囲んだ部分の表示セグメントが継続して点灯し、指針像Ｐを表示している。この指針像Ｐの表示には、線Ａ〜Ｅ、制御電極Ｇ１〜Ｇ５に図４（ｂ）の電圧を印加する。
【００２６】
図５は、図１や図４の指針像と異なる指針像を表示する例を示す。
図５の表示セグメント群Ｓの構成は、図１と同じである。
図５（ａ）は、３列の副指針像表示セグメント列、即ち表示セグメント（ａ４，ｂ３，ｃ３，ｄ２）、（ａ５，ｂ４，ｃ４，ｄ３）、（ａ６，ｂ５，ｃ５，ｄ４）からなる副指針像表示セグメント列によって指針像Ｐを構成している。なおこの場合、表示セグメントｄ２は点灯させない。図５（ａ）の指針像Ｐは、指針像Ｐの先端部を本体部の幅よりも広くすることができる。
図５（ｂ）は、表示セグメントａ１〜ａ７を使用しないで、指針像Ｐを表示する例で、図１や図４よりも指針像の高さ（長さ）を低く（短く）形成できる。
【００２７】
なお平行四辺形の表示セグメントは、２個の三角形の表示セグメントに分けて形成してもよい。また５角形の表示セグメントｄ１〜ｄ７は、１個の三角形と１個以上の四辺形の表示セグメントに分けて形成してもよい。その場合には、例えば図５（ａ）において、表示セグメントｄ２，ｄ５の三角形の部分を点灯して、指針像の先端部を三角形状にすることもできる。
また５角形の表示セグメントは、六角形であってもよい。その場合、六角形の表示セグメントは、２個の五角形の表示セグメントに分けて形成してもよい。
【００２８】
図６は、表示セグメントを直線状に配設した表示セグメントパターンの例を示す。
図６（ａ）は、パターン全体を示し、図６（ｂ）は、パターンの一部（詳細）を示す。
図６（ａ）は、表示セグメント群Ｓを目盛Ｍに沿って直線状に配設してある。
図６（ａ）の表示セグメント群Ｓは、指針像の頭部を形成する表示セグメント群Ｓａと指針像の本体部を形成する表示セグメント群Ｓｂとからなる。表示セグメント群Ｓａと表示セグメント群Ｓｂの詳細は、図６（ｂ）に示す
【００２９】
図６（ｂ）の表示セグメント群Ｓは、その基本的構成は図１の表示セグメント群Ｓと同じであるが、平行四辺形の表示セグメントを千鳥状に配設した行１行と五角形の表示セグメントの行１行からなり、五角形の表示セグメントは、三角形の表示セグメントと四辺形の表示セグメントに分けて形成してある。
表示セグメント群Ｓａは、平行四辺形の表示セグメント（ａ１，ａ２，ａ３・・・）と（ｂ１，ｂ２，ｂ３・・・）を交互に千鳥状に配設した行と三角形の表示セグメント（ｃ１，ｃ２，ｃ３・・・）の行とからなり、表示セグメント群Ｓｂは、四辺形の表示セグメント（ｄ１，ｄ２，ｄ３・・・）の行からなる。
【００３０】
指針像Ｐは、副指針像表示セグメント列（ａ３，ｂ２，ｃ２，ｄ２），（ａ４，ｂ３，ｃ３，ｄ３），（ａ５，ｂ４，ｃ４，ｄ４）によって構成され、それらの副指針像表示セグメント列の表示セグメントの内、太い実線で囲んだ表示セグメント（ａ３，ｂ２，ｃ２，ｄ２，ｂ３，ｃ３，ｄ３，ｃ４，ｄ４）が点灯して指針像Ｐを表示する。指針像Ｐは、副指針像表示セグメント列単位で移動する。
なお三角形の表示セグメント（ｃ１，ｃ２，ｃ３・・・）と四辺形の表示セグメント（ｄ１，ｄ２，ｄ３・・・）は、分割せずに五角形の表示セグメントに形成してもよい。
【００３１】
図７は、バー状の表示セグメントを直線状に配設した表示セグメントパターンの例を示す。
図７（ａ）は、パターン全体を示し、図７（ｂ）、（ｃ）は、パターンの一部を示す。
【００３２】
図７（ａ）は、バー状の表示セグメントからなる表示セグメント群Ｓを目盛Ｍに沿って直線状に配設してある。
図７（ａ）の表示セグメント群Ｓは、三角形の表示セグメントａ１〜ａｎを指針像Ｐの移動方向へ配設した行と長方形の表示セグメントｂ１〜ｂｎを指針像Ｐの移動方向へ配設した行、及び三角形と長方形の表示セグメント（ａ１，ｂ１），（ａ２，ｂ２），・・・，（ａｎ，ｂｎ）を夫々指針像Ｐの移動方向と直交する方向へ配設した列とからなり、三角形の表示セグメントａ１〜ａｎの角部を目盛Ｍに向けてある。
【００３３】
指針像Ｐは、図７（ｂ）のように指針像の幅方向（移動方向）に並ぶ３列の副指針像表示セグメント列（ａ３，ｂ３），（ａ４，ｂ４），（ａ５，ｂ５）によって構成し、表示セグメントａ４，ｂ３，ｂ４，ｂ５が同時に点灯して、一個の指針像Ｐを表示している。
計測器の計測量が変化して指針像Ｐの表示位置が図７（ｂ）の表示位置から右側へ移動する場合、新たな指針像は、図７（ｃ）の指針像Ｐのように副指針像表示セグメント列（ａ４，ｂ４），（ａ５，ｂ５），（ａ６，ｂ６）によって構成し、表示セグメントａ５，ｂ４，ｂ５，ｂ６が同時に点灯して、新たな指針像Ｐを表示する。この際副指針像表示セグメント列（ａ３，ｂ３）の表示セグメントｂ３に残像を発生することもできる。このように指針像Ｐは、副指針像表示セグメント列単位で移動するから、その移動が滑らかになる。
【００３４】
なお指針像Ｐを構成する副指針像表示セグメント列は、３列に限らない。また表示セグメント群Ｓは、三角形の表示セグメントａ１〜ａｎを省略して長方形の表示セグメントｂ１〜ｂｎのみで構成してもよいし、その場合長方形の表示セグメントｂ１〜ｂｎは、複数の表示セグメントに分けて形成してもよい。
【００３５】
図８は、本願発明の計測器用ディスプレイを構成する蛍光表示管の断面図を示す。
図８（ａ）は、ガラスのケース１１の対向する基板の一方に表示セグメントとなるアノード電極群１３を形成し、他方に制御電極（背面グリッド）群１４を形成してある。アノード電極群１３は、蛍光体１３２を塗布した複数のアノード電極１３１からなる。制御電極群１４の制御電極は、例えば金属の薄膜で形成する。アノード電極群１３と制御電極群１４の間には、電子源となるフィラメント１２を配置してある。
図８（ｂ）は、アノード電極群１３とフィラメント１２の間に制御電極（例えばメッシュ状グリッド）群を配置してある。
【００３６】
前記実施の形態に係るディスプレイは、蛍光表示管を例に説明したが、ＥＬ、発光ダイドード、液晶等のディスプレイであってもよい。
【００３７】
【発明の効果】
本願発明は、副指針像表示セグメント列を指針像の幅方向（指針像の移動方向）へ複数列並べて指針像を構成し、指針像の移動方向へ副指針像表示セグメント列単位で指針像を移動するから、指針像の移動が滑らかになり、従来の電気的或いは機械的に回転或いは移動する指針の動きに近い表示が可能になる。また指針像の表示位置が変わる際、非点灯になる副指針像表示セグメント列には、残像が発生するから、指針像の移動がより滑らかになる。
【００３８】
本願発明は、副指針像表示セグメント列を指針像の幅方向（指針像の移動方向）に複数列並べて指針像を構成するから、幅広の指針像を形成できる。したがって計測量を高精度で表示するために副指針像表示セグメント列の幅を狭くしても指針像の表示位置を容易に視認できる。また指針像の幅が広くなっても、指針像の三角形状或いは矢印状の先端が目盛を指すから、高精度の読取が可能である。
【図面の簡単な説明】
【図１】本願発明の実施の形態に係る表示セグメント群を半円状（扇状）に配設した表示セグメントパターンを示す。
【図２】本願発明の実施の形態に係る指針像と各電極に印加する電圧を示す。
【図３】本願発明の実施の形態に係る指針像の移動と各電極に印加する電圧を示す。
【図４】本願発明の実施の形態に係り、図２と制御電極の配置が異なる場合の指針像と各電極に印加する電圧を示す。
【図５】本願発明の実施の形態に係る指針像の別の例を示す。
【図６】本願発明の実施の形態に係る表示セグメントを直線状に配設した表示セグメントパターンを示す。
【図７】本願発明の実施の形態に係るバー状の表示セグメントを直線状に配設した表示セグメントパターンを示す。
【図８】本願発明の実施の形態に係る計測器用ディスプレイを構成する蛍光表示管の断面図を示す。
【図９】従来の表示セグメント列を直線状と半円状に配設した表示セグメントパターンを示す。
【符号の説明】
Ａ，Ｂ，Ｃ，Ｄ，Ｅ    電圧印加用線
ａ１〜ａ７，ｂ１〜ｂ７，ｃ１〜ｃ７，ｄ１〜ｄ７，ｅ１〜ｅ７    表示セグメント
Ｇ１〜Ｇ５    制御電極（背面グリッド）
Ｍ    目盛
Ｐ    指針像
Ｓ，Ｓａ，Ｓｂ    表示セグメント群
Ｓ１・・・Ｓｎ    副指針像表示セグメント列
Ｓｘ＋１・・・Ｓｘ＋８    副指針像表示セグメント列
【図１】
2004333598.tif 000003
【図２】
2004333598.tif 000004
【図３】
2004333598.tif 000005
【図４】
2004333598.tif 000006
【図５】
2004333598.tif 000007
【図６】
2004333598.tif 000008
【図７】
2004333598.tif 000009
【図８】
2004333598.tif 000010
【図９】
2004333598.tif 000011